(57)【要約】【課題】  効率的に視力検査を行え、検査データの信頼性を向上することができる自動視力計を提供すること。【解決手段】  視力検査視標呈示手段と、呈示視標に対する被検者の判読結果を入力する入力手段と、呈示指標に対して入力された判読結果の正誤を判定して被検眼の視力値を自動的に判定する検査プログラムであって、右眼検査と左眼検査とを連続して進める検査プログラムを記憶する記憶手段とを備える自動視力計において、右眼検査又は左眼検査が不要な場合に、その不要な検査をスキップするための信号を入力するスキップ信号入力手段と、前記検査プログラムの実行後に前記スキップ信号に基づいて不要な検査をスキップするスキップ手段と、を備えること。【選択図】      図１
2007268169.tif 000002
【特許請求の範囲】
【請求項１】
視力検査視標呈示手段と、呈示視標に対する被検者の判読結果を入力する入力手段と、呈示指標に対して入力された判読結果の正誤を判定して被検眼の視力値を自動的に判定する検査プログラムであって、右眼検査と左眼検査とを連続して進める検査プログラムを記憶する記憶手段とを備える自動視力計において、
右眼検査又は左眼検査が不要な場合に、その不要な検査をスキップするための信号を入力するスキップ信号入力手段と、前記検査プログラムの実行後に前記スキップ信号に基づいて不要な検査をスキップするスキップ手段と、を備えることを特徴とする自動視力計。
【請求項２】
請求項１の自動視力計は、前記スキップ手段によりスキップした旨の検査結果を記憶または出力する手段を備えることを特徴とする自動視力計。
【請求項３】
請求項１又は２の自動視力計は、筺体内部に視力検査視標呈示手段が配置され、被検者が両眼で筺体内部に呈示される検査視標を覗き込むタイプの自動視力計であり、さらに前記検査プログラムにより進行されている右眼と左眼の現在の検査段階を報知する報知手段を備えることを特徴とする自動視力計。
【請求項４】
視力検査視標呈示手段と、呈示視標に対する被検者の判読結果を入力する入力手段と、呈示指標に対して入力された判読結果の正誤を判定して被検眼の視力値を自動的に判定する検査プログラムであって、右眼検査と左眼検査とを連続して進める検査プログラムを記憶する記憶手段とを備える自動視力計において、
右眼及び左眼を個別に検査するための検査眼を選択する検査眼選択手段と、
前記検査プログラムにより検査を行う連続検査モードと，前記検査眼選択手段による検査眼の選択毎に呈示指標に対して入力された判読結果の正誤を判定して被検眼の視力値を自動的に判定する検査を行う単独検査モードと，を選択する検査モード選択手段と、
前記連続検査モードの選択時において、前記検査眼選択手段により検査眼の選択信号が入力されたときは、一時的にその選択された検査眼での単独検査モードに移行し、検査終了後に連続検査モードに復帰させる復帰手段と、を備えることを特徴とする自動視力計。
【発明の詳細な説明】
【技術分野】
【０００１】
本発明は、被検者の視力を自動的に検査する自動視力計に関する。
【背景技術】
【０００２】
被検者にランドルト環等の視標を呈示し、呈示視標に対する被検者の判読結果の応答を入力し、その判読結果の正誤を判定して被検眼の視力を自動的に判定する視力計が知られている（例えば、特許文献１参照）。この種の視力計においては、検査のスタート信号により自動視力判定プログラムを適用した右眼と左眼の片眼検査（さらに両眼の視力検査の場合も含む）が連続して進行するようにプログラム設定されているものがあり、大勢の被検者の視力を検査する集団検診等で検者の負担を軽減した検査を行うことができる。また、店頭に設置された自動視力計により、検者無しで被検者自身が検査を行うこともできる。
【特許文献１】特開２００１−３７７２１号公報
【発明の開示】
【発明が解決しようとする課題】
【０００３】
しかしながら、被検者によっては、右眼又は左眼の片眼検査ができない場合や必要ない場合がある。このような場合、従来装置においては、検査不能（不要）な方の検査については、適当な応答を入力してその片眼検査を終了させていた。これは、不要な時間を費やすことになり、効率的な検査ができない。さらに不要（不明）な検査データが結果として記録されると、検査データの信頼性が低下し、データ管理上も間違いが起こりやすくなる。
【０００４】
本発明は、上記従来技術の問題点に鑑み、効率的に視力検査を行え、検査データの信頼性を向上することができる自動視力計を提供することを技術課題とする。
【課題を解決するための手段】
【０００５】
上記課題を解決するために、本発明は以下のような構成を備えることを特徴とする。
（１）  視力検査視標呈示手段と、呈示視標に対する被検者の判読結果を入力する入力手段と、呈示指標に対して入力された判読結果の正誤を判定して被検眼の視力値を自動的に判定する検査プログラムであって、右眼検査と左眼検査とを連続して進める検査プログラムを記憶する記憶手段とを備える自動視力計において、右眼検査又は左眼検査が不要な場合に、その不要な検査をスキップするための信号を入力するスキップ信号入力手段と、前記検査プログラムの実行後に前記スキップ信号に基づいて不要な検査をスキップするスキップ手段と、を備えることを特徴とする。
（２）  （１）の自動視力計は、前記スキップ手段によりスキップした旨の検査結果を記憶または出力する手段を備えることを特徴とする。
（３）  （１）又は（２）の自動視力計は、筺体内部に視力検査視標呈示手段が配置され、被検者が両眼で筺体内部に呈示される検査視標を覗き込むタイプの自動視力計であり、さらに前記検査プログラムにより進行されている右眼と左眼の現在の検査段階を報知する報知手段を備えることを特徴とする。
（４）  視力検査視標呈示手段と、呈示視標に対する被検者の判読結果を入力する入力手段と、呈示指標に対して入力された判読結果の正誤を判定して被検眼の視力値を自動的に判定する検査プログラムであって、右眼検査と左眼検査とを連続して進める検査プログラムを記憶する記憶手段とを備える自動視力計において、右眼及び左眼を個別に検査するための検査眼を選択する検査眼選択手段と、前記検査プログラムにより検査を行う連続検査モードと，前記検査眼選択手段による検査眼の選択毎に呈示指標に対して入力された判読結果の正誤を判定して被検眼の視力値を自動的に判定する検査を行う単独検査モードと，を選択する検査モード選択手段と、前記連続検査モードの選択時において、前記検査眼選択手段により検査眼の選択信号が入力されたときは、一時的にその選択された検査眼での単独検査モードに移行し、検査終了後に連続検査モードに復帰させる復帰手段と、を備えることを特徴とする。
【発明の効果】
【０００６】
本発明によれば、効率的に視力検査を行える。また、検査データの信頼性を向上することができる。
【発明を実施するための最良の形態】
【０００７】
以下、本発明の実施の形態を図面に基づいて説明する。図１は本発明の実施形態である自動視力計の外観斜視図である。
【０００８】
１は装置本体であり、装置本体１の上部には被検者が装置の筐体内部に呈示される視標を覗き込むための双眼の検査窓２Ｒ，２Ｌが設けられている。装置本体１の筐体側面には緑色光を発するＬＥＤ４１ａと橙色光を発するＬＥＤ４１ｂが取り付けられており、異なる２色の発光により測定された視力結果が複数の段階で表されるようになっている。
【０００９】
装置本体１の下部の前側には、本体内部に呈示されたランドルト環視標に対して被検者がその方向（判読結果）を応答するためのレバー５、視標が判読できないきに応答するするボタン４が設けられている。８はプリンタ、９は音声ガイドの指示が出力されるスピーカである。４０はスタートボタンであり、このボタン４０を押すことで予め設定されたプログラムに従って、検査が開始される。５０は装置本体とケーブル５１で接続されるコントロールボックスである。コントロールボックス５０には、スキップボタン５２が設けられる。ボタン５２は、右眼検査及び左眼検査（さらに両眼検査の場合も含む）を連続して進める検査プログラムを実行したときに、不要な検査眼についての自動検査をスキップ（キャンセル）する信号を入力するための手段となる。検査中にボタン５２を押すことで、現在検査している眼の検査をスキップすることができる。５３は検査モード選択を選択する検査モード選択スイッチである（スイッチ５３の有する機能は、後述する第２実施形態のスイッチ５４と同等である）。また、装置本体の背面には図示なきポート（図３の６０で示される）が設けられており、このポートにケーブルを接続することで、検査データがＰＣ等に取り込める。
【００１０】
図２は装置内部に配置される光学系を上から見た時の構成図であり、図３は光学系を側面から見た時の構成と制御系の構成を示した図である。
【００１１】
左右の検査窓２Ｒ，２Ｌにはそれぞれレンズ１０Ｒ，１０Ｌが配置され、後方の視標窓１５Ｒ，１５Ｌにそれぞれ切替え配置される検査視標が被検眼ＥＲ，ＥＬから見かけ上５ｍの遠方距離にされる。また、レンズ１０Ｒ，１０Ｌの後方の光路には、近用検査用のレンズ１１Ｒ，１１Ｌと輻輳用プリズム１２Ｒ，１２Ｌとが挿脱可能の設けられており、レンズ１０Ｒ，１０Ｌに加えてレンズ１１Ｒ，１１Ｌ及び輻輳用プリズム１２Ｒ，１２Ｌを介することにより、視標窓１５Ｒ，１５Ｌに配置される検査視標は光学的に４０ｃｍの近用距離にされる。このレンズ１１Ｒ，１１Ｌ及び輻輳用プリズム１２Ｒ，１２Ｌはレンズホルダ１３に保持されており、レンズホルダ１３が挿脱部３５によって左右方向に移動されることにより、各レンズの光路への挿脱が行われる。挿脱部３５はモータ３５ａによって回転する送りネジ３５ｂ等を持ち、送りネジ３５ｂの回転に伴ってレンズホルダ１３がスライド移動されるようになっている。なお、近用距離には５０ｃｍのものもある。
【００１２】
左右の光路は中央に仕切り板を持つ筒状の内部カバー１４Ｒ，１４Ｌによって区分けされ、左右眼が視標を見る視野空間が個別に確保されており、内部カバー１４Ｒ，１４Ｌの視野空間は内部照明ランプ１７Ｒ，１７Ｌによって個別に照明される。この内部カバー１４Ｒ，１４Ｌは共に同一形状で形成されており、後方の視標窓１５Ｒ，１５Ｌも同一位置に設けられている。したがって、左右両眼で検査窓２Ｒ，２Ｌを介して内部を観察したときには、左右眼単独で内部を観察したときと同様に、２つの視標窓１５Ｒ，１５Ｌは融像して１つに見えると共に、内部カバー１４Ｒ，１４Ｌも左右の壁が同じ状態で１つの空間として観察される。
【００１３】
視標窓１５Ｒ，１５Ｌに検査視標を切替え配置する視標呈示部２０は、視標ディスク板２１と、視標ディスク板２１を回転駆動するためのパルスモータ２２と、視標ディスク板２１上の視標を照明する２つの照明ランプ２４Ｒ，２４Ｌからなる。
【００１４】
視標ディスク板２１は透光性を持つガラス基板からなり、その基板上には視力値０．１〜１．０、１．２、１．５の１２段階でそれぞれ左右上下の４方向のランドルト環視標が遮光性を持つクロムコートにて形成されている。この検査視標は、対となる右眼呈示用と左眼呈示用の同一視標を左右眼に同時に呈示できるように、２つの視標窓１５Ｒ，１５Ｌの位置関係に対応させ形成されている。視標ディスク板２１上の視標はモータ２２の回転により対となる同一のものが視標窓１５Ｒ，１５Ｌに配置され、各視標は照明ランプ２４Ｒ，２４Ｌにより照明される。
【００１５】
図３において、３０は装置全体を制御する制御部であり、スピーカ９に接続された音声ガイド発生部３１、応答ボタン４、レバー５、ＬＥＤ４１ａ，４１ｂ、スタートボタン４０、コントローラボックス５０、ポート６０等が接続されている。３３は検査プログラムを記憶したメモリである。このメモリ３３には被検者毎の検査データも保存される。
【００１６】
次に、以上のような構成を備える装置の動作を説明する。集団検診等においては被検者自身で自由に視力検査が可能なように、本装置をテーブル等に設置しておく。しかしながら、検査のスタートは装置本体１の脇に検者が付き添い、行う。また、検者は被検者毎の記録等も行う。検者は、被検者を装置本体１の前方に位置させ、視標窓１５Ｒ，１５Ｌを覘かせた後、スタートボタン４０を押して、検査を開始する。そして、検査の開始信号が制御部３０に入力される。制御部３０は音声ガイド発生部３１を駆動し、スピーカ９から「視力を自動で計ります。軽くレバーを倒して下さい。」というように、音声ガイドを発する。被検者が音声ガイドに従ってレバー５を倒すと、その信号を受けて制御部３０は装置を可動状態にする。まず、制御部３０は内部照明ランプ１７Ｒ，１７Ｌ及び照明ランプ２４Ｒ，２４Ｌを点灯する共に、視標窓１５Ｒ，１５Ｌに視力値０．１の視標を呈示する。スピーカ９からは「右手で軽くレバーを持ち、左手は手前のボタンに添えて、窓を覗いて下さい。」との音声ガイドが発生される。続いて、「視力を計ります。輪の切れた方向に軽くレバーを倒して下さい。方向が分からないときは、手前のボタンを押して下さい。」との音声ガイドが発生され、被検者がレバー５で応答すると、視力検査のプログラムが実行される。
【００１７】
視力検査は遠方視力と近方視力の検査が、それぞれ右眼、左眼、両眼の順で連続して進行するようにプログラム設定されている。なお、遠方視力検査後に近方視力の検査を行うか否か、両眼検査は行わずに右眼と左眼のみを連続して検査する否か等を、連続モード選択スイッチ５３により選択して設定できるが、以下では前述の設定が選択されているものとする。初めに、右眼検査として視標窓１５Ｒには初期視標として視力値０．５の視標が呈示される。なお、左眼の視野は内部照明ランプ１７Ｌと視標照明光源２４Ｌを消灯しておくことにより遮蔽状態と等価にされる。
【００１８】
視力値を判定するプ検査ログラムを説明する。制御部３０の制御によって、スピーカ９からは音声ガイドにより「方向は？」とアナウンスされ、視標方向が判別できたら被検者はレバー５をその方向に倒すように指示される。被検者が視標の判別結果をレバー５で応答すると、制御部３０によりその正誤が判定される。応答が正しければ、一段階上げられた視力値の視標が呈示され、誤りであれば一段階下げられた視力値の視標が呈示される。一段階上げて誤答であった場合、もしくはボタン４により判読不能の応答があった場合には、視力値を見えていた段階まで戻し、さらに視標方向を変えて検査を続ける。こうして被検者に呈示する視標がプログラムに従って順次変更され、応答の正誤判定により、同一視力視標で２回以上正答があれば、その視力があるものとして制御部３０によって視力値が判定される。
【００１９】
右眼の遠用視力検査が終了すると、同様に左眼の検査、両眼の検査が行われ、それぞれの検査結果が得られる。両眼検査が終了すると、スピーカ９からは「遠方の視力測定が終わりました。次に、手元４０ｃｍの視力を計ります。計る場合はレバーを倒して下さい。計らない場合は手前のボタンを押して下さい。」と音声ガイドが発せられる。被検者がレバー５で応答することにより、近方視力検査のプログラムが実行される。
【００２０】
制御部３０は挿脱部３５を駆動して検査窓２Ｒ，２Ｌに近方視力検査用のレンズを配置する。その後、「輪の切れた方向に軽くレバーを倒して下さい。方向が分からないときは、手前のボタンを押して下さい。」との音声ガイドが発生され、同様に検査プログラムに従って両眼による近方視力検査が行われる。
【００２１】
全ての検査が終了すると（又は、遠方視力検査後、ボタン４が押されて近方視力検査に移行しない場合）、スピーカ９からは「終わりました。右側から結果が印刷されます。」と音声ガイドが発せられ、プリンタ８から検査結果が出力される。また、検査結果はメモリ３３に記憶される。
【００２２】
また、制御部３０は検査中、検査眼に基づき、ＬＥＤ４１ａ，４１ｂを点灯制御する。例えば、右眼の検査中ならＬＥＤ４１ａを発光させ、左眼の検査中ならＬＥＤ４１ｂを発光させ、両眼の検査中ならＬＥＤ４１ａ、４１ｂを共に発光させる。この発光により、検被検者が現在どの眼を検査しているかが、検者に報知される。
【００２３】
以上説明したように、一人の被検者に対し、一連のプログラムにて、右眼、左眼、両眼という順で検査を行い、それを各被検者に対して次々と行っていく。しかしながら、被検者によっては、片眼の検査が必要ない人や片眼検査のできない人がいる場合に検査効率に問題が生じる。このような場合、検査をしない片眼の検査が始まっても、適当な答えをする等しかできない。また、このときの検査結果は適当な値となってしまい、後の検査データの管理上、混乱が生じ易い。
【００２４】
次に、一連の検査プログラムから片眼検査をスキップする動作を説明する。前述のように、検者は順次被検者の視力検査を行う。このとき、検者が現在検査を受けようとする被検者の申告やカルテ等から、この被検者の片眼の検査が必要ないことを知ったとする。ここでは、検査の必要のない眼を左眼とする。検者はスタートボタン４０を押して、検査を開始する。検者は、ＬＥＤ４１ａの発光を確認し、現在の検査が右眼であることが分かる。右眼の検査が終了し、左眼の検査に移ると、ＬＥＤ４１ａが消灯し、ＬＥＤ４１ｂが発光する。検者がＬＥＤ４１ｂの発光から、現在の検査が左眼に移ったことを確認して、コントロールボックス５０のボタン５２を押す。制御部３０はボタン５２からのスキップ信号を受け取り、検査プログラム中の現在の検査である左眼の検査をスキップし、左眼検査の後に行う両眼検査もスキップする。このようにして、この被検者は右眼のみの検査で視力検査を終了する。
【００２５】
このとき、この被検者の検査データには、右眼には検査した視力値、左眼検査及び両眼検査にはスキップした旨を意味する値が記憶される。検査結果をプリンタ８から出力するときも、左眼検査及び両眼検査にはスキップした旨がプリントされるように制御部３０により制御される。
【００２６】
なお、本実施形態ではスキップボタン５２を装置本体１とは別のコントロールボック５０に設ける構成としたが、これに限るものではない。検査を開始させるスタートボタン４０を検査中にはスキップボタンの機能を持たせてもよい。また、本実施形態では、装置本体１にケーブル５１を介してコントロールボックス５０を接続して、スキップを行う構成としたが、これに限るものではない。無線的にスキップを行う構成でもよい。例えば、装置本体１に赤外線ポートを設け、コントロールボックス５０を赤外線タイプのリモコンとして利用してもよい。
【００２７】
なお、本実施形態では、検者に被検者が現在どの検査をしているのかを報知する手段として、ＬＥＤ４１ａ、４１ｂの発光パターンを用いたが、これに限るものではない。ガイド発生部３１とスピーカ９を用いた音声ガイドを用いてもよい。本実施形態では、スピーカ９から発せられる音声は被検者を対象としていたが、スピーカ９の音声が装置本体１の側面や背面等の検者が位置する方向へも届くように構成すれば、被検者の検査状態を検者が知ることができる。また、本実施形態では、視力検査に検者が付き添うことを想定したが、これに限るものではない。被検者自身が不要な検査をスキップできる構成としてもよい。例えば、音声ガイドにスキップをする方法をアナウンスさせる構成とすることが挙げられる。
【００２８】
以上説明したように、検者は被検者にとって不要な検査をスキップすることで、効率的な検査ができる。特に、集団検診等の大勢の被検者を検査する場合に検査効率が上がる。また、スキップした検査眼が分かるようにデータ管理されるので、データの信頼性が向上する。
【００２９】
次に、本発明の第２の実施形態を説明する。図４は装置本体の操作パネル７０を示す図である。パネル７０は装置本体１の側面でプリンタ８の上部に設けられる。７１は検査眼を選択する選択スイッチであり、左眼検査を選択するスイッチ７１Ｌ、両眼検査を選択するスイッチ７１Ｃ、右眼検査を選択するスイッチ７１Ｒが用意されている。７２は自動／手動モード選択スイッチであり、検査の仕方を前述の検査プログラムを適用した自動モードと、検者が手動で視標を選択して視力値を判定する手動モードを選択できる。５４は、検査モード選択スイッチである。自動モードを選択すると、さらに、右眼と左眼の片眼検査を連続して進行させる連続検査モードと、右眼と左眼の片眼検査に加えて両眼検査を連続して進行させる連続両眼検査モードと、選択スイッチ７１により個別に選択された検査眼のみの検査を進める単独検査モードと、を選択できる。７３は近用遠用検査モードスイッチであり、近用検査、遠用検査のいずれかを選択できるスイッチとなる。７４、７５は手動モードの際に呈示する視標を選択するための視力スイッチである。７６は印刷ボタンであり、予め設定することによって、ボタン７６を押すことで始めて検査結果がプリンタ８から印刷されるようにできる。
【００３０】
このような操作パネル７０を備える装置本体１において、先の実施形態と同じく、右眼と左眼の片眼検査に加えて両眼検査を連続して進行させる連続検査モードを選択した場合を説明する。集団検診等においては、このモードを選択しておくと都合が良い。そして、この連続検査モードの選択において、先程と同様に左眼を検査しない被検者が検査を受ける場合、選択スイッチ７１から右眼検査スイッチ７１Ｒを押すと、一時的に連続検査モードがキャンセルされ、その選択された右眼の単独検査に移行される。スタートボタン４０が押されると、制御部３０は前述の自動視力判定のプログラムを右眼のみに適用した検査を開始する。この検査の終了後、制御部３０は連続検査モードに復帰させる。
【００３１】
このようにして、片眼のみを検査する被検者がいた場合でも、その前後の被検者については通常の連続検査モードで検査を進めることができる。わざわざ連続検査モードを解除し、単独検査モードに設定しなくすみ、モードの切り換え忘れが無くなる。ある被検者に対する片眼検査の設定が、次の被検者に対して適用されないため、特に集団検診等で大勢の被検者を検査さる場合に生じやすい検査モードの切換えによる検査の間違いが低減され、検査を効率よく行える。また、信頼性を向上させた検査データが得られる。
【図面の簡単な説明】
【００３２】
【図１】本発明に係る自動視力検査装置の外観を示した図である。
【図２】装置内部に配置される光学系を上から見た時の構成図である。
【図３】光学系を側面から見た時の構成と制御系の構成を示した図である。
【図４】本発明の第２実施形態で用いるパネル７０を説明する図である。
【符号の説明】
【００３３】
１  装置本体
５  レバー
９  スピーカ
２０  視標呈示部
３０  制御部
３１  音声ガイド発生部
３３  メモリ
４０  スタートボタン
５２  スキップボタン
【図１】
2007268169.tif 000003
【図２】
2007268169.tif 000004
【図３】
2007268169.tif 000005
【図４】
2007268169.tif 000006